(57)【要約】【課題】 ラベル使用時にはラベルの剥離が防止されるとともに、ラベル張替え時には容易にラベルを剥離可能な運搬用容器を提供する。【解決手段】  容器本体１１におけるラベル１６を貼着する側壁１２外面に複数のリブ１４，１４・・・を突設するとともに、各リブ１４，１４・・・の間にシボ加工による粗面１５を設け、このリブ１４とシボ加工による粗面１５とからなる貼着面にラベルを貼着するようにした。さらに、側壁１２の上辺に形成された上辺フランジ１７の上面１９と、側壁１２の下辺に形成された下辺フランジ１８の下面２２とにシボ加工による粗面１５を設け、上辺フランジ１７の粗面１５から、側壁１２外面に設けたリブ１４とシボ加工による粗面１５とからなる貼着面を介して、下辺フランジ１８の粗面１５に渡る範囲にラベル１６を貼着するようにした。【選択図】  図１
2005041549.tif 000002
【特許請求の範囲】
【請求項１】
上方が開口した容器本体にラベルが貼着される運搬用容器であって、
前記容器本体における前記ラベルを貼着する側壁外面に複数のリブを突設するとともに、前記各リブ間にシボ加工による粗面を設けたことを特徴とする運搬用容器。
【請求項２】
前記側壁の上辺に形成された上辺フランジの上面と、前記側壁の下辺に形成された下辺フランジの下面とにシボ加工による粗面を設けるとともに、これらの各粗面の間における該側壁の上辺から下辺に渡る範囲に複数のリブを突設し、前記各リブ間にシボ加工による粗面を設けたことを特徴とする請求項１に記載の運搬用容器。
【請求項３】
前記上辺フランジの上面と前記下辺フランジの下面とに設けた前記各粗面の間における、前記上辺フランジの下面から前記側壁外面を介して前記下辺フランジの上面に渡る範囲に複数のリブを突設し、前記各リブ間にシボ加工による粗面を設けたことを特徴とする請求項２に記載の運搬用容器。
【発明の詳細な説明】
【技術分野】
【０００１】
本発明は、収容物の種類、搬送先などの情報を表示した識別用ラベルを容器本体に貼着して、この情報とともに当該収容物を所定場所に搬送するための運搬用容器に関する。
【背景技術】
【０００２】
例えば食品工場などでは、出荷する食品の管理を行うために運搬用容器の側面にラベルを貼着し、このラベルに表示されたバーコードなどによって、製造ライン、搬送先、個数、種別などを識別させる場合がある。また、組立ラインでも同様に、部品工場から組立ラインに届けられた部品の種類、規格、適用機種などの情報を、このラベルによって識別させる場合がある。
【０００３】
このような識別用ラベルは、裏面に形成された粘着層を介して運搬用容器の側面に設けられた所定の貼着部に貼着される。この貼着部には、例えば図７（ａ）に示したように、運搬用容器１１１の側壁１１２に設けられた貼着部１１３に複数のリブ１１４，１１４…を突設したり、あるいは図７（ｂ）に示したように、貼着部１１３にいわゆるシボ加工を施して梨地状の粗面（シボ面）１１５を形成している（例えば、特許文献１〜３を参照）。これによって、貼着部１１３とラベル１１６との接着面積を小さくして貼着されたラベル１１６を剥離し易くしている。
【０００４】
そして、ラベル１１６が貼着された運搬用容器１１１は、使用後に洗浄機などで表面を洗浄した後にラベル１１６を貼着部１１３から剥離し、再使用される。
【特許文献１】登録実用新案第２５２８０６１号公報
【特許文献２】特開平１１−３４８９９５号公報
【特許文献３】特開２００１−１０６３７号公報
【発明の開示】
【発明が解決しようとする課題】
【０００５】
しかしながら、図７（ａ）のように貼着部１１３にリブ１１４を突設した場合では、容器洗浄後にラベル１１６を貼着部１１３から剥離した際に、各リブ１１４，１１４…間の平坦面１２３，１２３…にラベル１１６が強固に貼り付いて残ってしまい、容易に剥離できなくなることがある。
【０００６】
また、図７（ｂ）のように貼着部１１３にシボ面１１５を形成した場合では、ラベル１１６の剥離は容易となるが、ラベル１１６と貼着部１１３との接着力が不十分となり、例えば運搬用容器の搬送時、保管時などのラベル使用時にラベル１１６が貼着部１１３から剥離してしまうことがある。
【０００７】
この点を解決するために、図７（ｃ）の断面図に示したように貼着部１１３にシボ面１１５とともに平坦面（ベタ面）１２４を同一高さに設け、この面一の貼着部１１３にラベル１１６を貼着することによってラベル１１６と貼着部１１３との接着力を調節する技術が提案されている（特許文献３を参照）。
【０００８】
しかしながら、この場合においてもラベル１１６を貼着部１１３から剥離した際に、平坦面１２４ではラベル１１６が強固に貼り付いて残ってしまい、容易に剥離できなくなることがあるという問題があった。
【０００９】
本発明は上記した従来技術の問題点を解決するために為されたものであり、その目的は
、ラベル使用時にはラベルの剥離が防止されるとともに、ラベル張替え時には容易にラベルを剥離可能な運搬用容器を提供することにある。
【課題を解決するための手段】
【００１０】
上記の目的を達成するために、本発明の運搬用容器は、上方が開口した容器本体にラベルが貼着される運搬用容器であって、
前記容器本体における前記ラベルを貼着する側壁外面に複数のリブを突設するとともに、前記各リブ間にシボ加工による粗面を設けたことを特徴とする。
【００１１】
また、本発明の運搬用容器は、前記側壁の上辺に形成された上辺フランジの上面と、前記側壁の下辺に形成された下辺フランジの下面とにシボ加工による粗面を設けるとともに、これらの各粗面の間における該側壁の上辺から下辺に渡る範囲に複数のリブを突設し、前記各リブ間にシボ加工による粗面を設けたことを特徴とする。
【００１２】
また、本発明の運搬用容器は、前記上辺フランジの上面および下辺フランジの下面に設けた前記各粗面の間における、前記上辺フランジの下面から前記側壁外面を介して前記下辺フランジの上面に渡る範囲に複数のリブを突設し、前記各リブ間にシボ加工による粗面を設けたことを特徴とする。
【発明の効果】
【００１３】
本発明の運搬用容器によれば、容器本体の側壁外面に複数のリブを突設するとともに、各リブ間にシボ加工による粗面を設け、このような構成を有する貼着部にラベルを貼着することとしたので、ラベルは十分な接着力でこの貼着部に貼着され、さらに、ラベル使用後の剥離時にラベルの一部が強固に貼り付いて残ってしまうことがない。
【００１４】
したがって、ラベル使用時にはラベルの剥離が防止されるとともに、ラベル張替え時には容易にラベルを剥離することができる。
【００１５】
また、このリブおよび粗面からなる貼着面とともに、上辺フランジの上面と下辺フランジの下面とにシボ加工による粗面を設け、上辺フランジの粗面から、側壁外面に設けたリブおよび粗面からなる貼着面を介して下辺フランジの粗面に渡る範囲にラベルを貼着するようにしている。このため、容器を段積みした際に、フランジに設けられた粗面に貼着されたラベル部分が上辺フランジと下辺フランジに挟持され、これらの両フランジで押さえられる。
【００１６】
したがって、ラベル使用時におけるラベルの剥離をさらに防止することができ、またフランジのラベル貼着位置をシボ加工による粗面としているのでラベル張替え時には容易にラベルを剥離することができる。
【発明を実施するための最良の形態】
【００１７】
以下、図面を参照しながら本発明を詳細に説明する。
【００１８】
図１は、本発明の一実施形態に係る運搬用容器の斜視図、図２は、図１の運搬用容器のＡ−Ａ線による断面図である。
【００１９】
図１、２に示した本実施形態の運搬用容器１１は、その側壁外面に収容物の種類、搬送先などの情報をバーコードなどで表示したラベルを貼着し、この情報とともに容器１１内の収容物を所定場所に運搬するものであり、合成樹脂によって、上方が開口した箱状に形成されている。
【００２０】
ラベルが貼着される側壁１２の外面には、ラベル貼着部１３が設けられ、このラベル貼着部１３には複数のリブ１４，１４・・・が突条に所定間隔で形成されている。
【００２１】
そして、これらのリブ１４，１４・・・間には、いわゆるシボ加工により形成された梨地状の粗面（シボ面）１５が、隣接するリブ１４，１４の間に渡って一面に設けられている。
【００２２】
このように構成されたラベル貼着部１３に対して、ラベル１６は図２に示したようにリブ１４の突出面とシボ面１５に交互に貼着される。これによって、ラベル１６は貼着部１３に適切な接着力で接着され、容器１１の運搬時、保管時などにおいてもラベル１６は容易に剥離することがない。
【００２３】
さらに、使用後にラベル１６を剥離する際には、ラベル貼着部１３を突出形成したリブ１４と、粗面状であるシボ面１５とから構成しているため、従来のように剥離操作時にラベル１６が破れ、その一部が接着力の強い所定箇所で強固に貼り付いて残ってしまうことがなく、スムーズにラベル１６を剥離することができる。
【００２４】
ラベル貼着部１３におけるリブ１４の配設構成は特に限定されることはなく、本発明の効果を奏する範囲内で、種々の変更が可能である。例えば、図３（ａ）に示したように各リブ１４，１４…を鉛直方向に所定間隔で並列する構成、図３（ｂ）に示したように直線部分とともに曲線部分を設ける構成、図３（ｃ）に示したように各リブ１４，１４…を水平方向に所定間隔で並列する構成などが挙げられ、この他、異なる方向に並列配置された各リブ群が交差するようにしてもよい。
【００２５】
また、ラベル貼着部１３は、必要に応じて側壁１２の複数箇所に設けられ、例えば、図３（ａ）に示したように左右に２箇所設けたり、あるいは図３（ｄ）に示したように４箇所に設けることができる。
【００２６】
本発明の効果を奏する観点からは、リブ１４は断面略半円状、あるいは断面略三角状に設けることが好ましい。また、リブ１４の短手方向の幅は通常０．５〜２ｍｍ程度であり、隣接するリブ１４，１４間の間隔は通常３〜８ｍｍ程度である。また、シボ面１５には剥離性の良い比較的粗いシボ加工を施すことが好ましい。
【００２７】
図４は、本発明の他の実施形態に係る運搬用容器の斜視図、図５は、図４の運搬用容器のＢ−Ｂ線による断面図である。
【００２８】
図４、５に示した本実施形態の運搬用容器１１は、側壁１２の上辺に形成された上辺フランジ１７の上面１９にシボ面１５を設けるとともに、側壁１２の下辺に形成された下辺フランジ１８の下面２２にもシボ面１５を設け、これらの各シボ面１５，１５の間における側壁１２の上辺から下辺に渡る範囲に、前述した実施形態と同様に複数のリブ１４，１４…を突設して各リブ１４，１４…間にシボ面１５を設け、これら全体でラベル貼着部１３を構成している。
【００２９】
そして、図６に示したように、ラベル１６を、上辺フランジ１７の上面１９に形成されたシボ面１５から、側壁１２の外面に設けたリブ１４およびシボ面１５からなる貼着面を介して下辺フランジ１８の下面に形成されたシボ面１５に渡り貼着するようにしている。
【００３０】
即ち、ラベル１６をフランジ１７，１８まで巻き込んで貼着するようにし、これによって、図６に示したように運搬時、保管時などに容器１１，１１・・・同士を段積みした際に、上下に段積みされた容器１１，１１の上辺フランジ１７と下辺フランジ１８でラベル
１６を挟み込んで押さえるようにしている。
【００３１】
したがって、運搬時、保管時などのラベル１６の使用時における剥離をさらに防止することができる。
【００３２】
さらに、上辺フランジ１７の上面１９と下辺フランジ１８の下面２２のラベル貼着位置をシボ面１５で構成しているため、この貼着位置ではラベル１６を容易に剥離することができる。このため、使用後にラベル１６を剥離する際には、上辺フランジ１７から側壁１２の外面を介して下辺フランジ１８に渡り、ラベル貼着部１３に貼着されたラベル１６を容易に剥離することができる。
【００３３】
さらに本実施形態では、側壁１２に鉛直方向に並列したリブ１４，１４・・・を、上辺フランジ１７の下面２０と下辺フランジ１８の上面２１まで延出している。そして、この上辺フランジ１７の下面２０と下辺フランジ１８の上面２１におけるリブ１４，１４・・・の間にもシボ面１５を設けている。
【００３４】
即ち、リブ１４，１４・・・とこれらの間のシボ面１５とからなる構成を上辺フランジ１７の下面２０と下辺フランジ１８の上面２１にも設け、上辺フランジ１７の上面１９に設けたシボ面１５から下辺フランジ１８の下面２２に設けたシボ面１５へ連続するように、上辺フランジ１７の下面２０から側壁１２の外面を介して下辺フランジ１８の上面２１に渡る範囲に複数のリブ１４，１４・・・を突設し、各リブ１４，１４・・・間にシボ面１５を設け、これら全体でラベル貼着面１３を構成している。
【００３５】
したがって、上辺フランジ１７の両面と、側壁１２の外面と、下辺フランジ１８の両面とからなる鉛直方向の全ての領域にラベル１６を貼着しても、使用後にラベル１６を剥離する際に容易に剥離することができるようになっている。
【００３６】
なお、このように上辺フランジ１７の下面２０と下辺フランジ１８の上面２１をリブ１４およびシボ面１５からなる貼着面で構成する以外に、上辺フランジ１７の下面２０と下辺フランジ１８の上面２１の少なくとも一方をシボ面１５のみで構成することとしてもよい。
【図面の簡単な説明】
【００３７】
【図１】本発明の一実施形態に係る運搬用容器の斜視図である。
【図２】図１の運搬用容器のＡ−Ａ線による断面図である。
【図３】ラベル貼着部におけるリブの配設例およびラベル貼着部の配置例を説明する図である。
【図４】本発明の他の実施形態に係る運搬用容器の斜視図である。
【図５】図４の運搬用容器のＢ−Ｂ線による断面図である。
【図６】ラベルが貼着された図４の運搬用容器を段積みした様子を示す図である。
【図７】従来の運搬用容器におけるラベル貼着部の構造を説明する図である。
【符号の説明】
【００３８】
１１：運搬用容器
１２：側壁
１３：貼着部
１４：リブ
１５：シボ面
１６：ラベル
１７：上辺フランジ
１８：下辺フランジ
１９：上面
２０：下面
２１：上面
２２：下面
１１１：運搬用容器
１１２：側壁
１１３：貼着部
１１４：リブ
１１５：シボ面
１１６：ラベル
１２３：平坦面
１２４：平坦面
【図１】
2005041549.tif 000003
【図２】
2005041549.tif 000004
【図３】
2005041549.tif 000005
【図４】
2005041549.tif 000006
【図５】
2005041549.tif 000007
【図６】
2005041549.tif 000008
【図７】
2005041549.tif 000009